(57)【特許請求の範囲】
【請求項１】
ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、前記受信レベル検出部において検出した受信レベルに応じて、ＴＶ受信モードでは必要とせずナビゲーションモードで必要とする回路ユニットへの電力供給を制御する制御部とを備えたことを特徴とするナビゲーション装置。
【請求項２】
ＴＶ電波を受信してＴＶ画像データを出力するＴＶ受信部と、前記ＴＶ受信部において受信したＴＶ電波の受信レベルを検出する受信レベル検出部と、自位置の測位を行う測位部と、地図データが記憶された記憶媒体から地図データを読み出す地図データ制御部と、ＴＶ画像データや地図データなどを表示する表示手段と、前記ＴＶ受信部から出力されるＴＶ画像データを前記表示部に表示するＴＶ受信モードと前記測位部から出力された自位置及び前記地図データ制御部から出力された地図データを前記表示部に表示するナビゲーションモードとを選択する選択部と、ＴＶ受信モードの際に、前記受信レベル検出部において検出した受信レベルに応じて、前記測位部、前記地図データ制御部への電力供給を制御する制御部とを備えたことを特徴とするナビゲーション装置。
【請求項３】
前記制御部は、前記受信レベルが所定のレベル以下のとき、少なくとも前記測位部よりも先に前記地図データ制御部への電力供給をＯＦＦにすることを特徴とする請求項２記載のナビゲーション装置。
【請求項４】
ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、前記受信レベル検出部において検出した受信レベルに応じて、ＴＶ受信モードでは必要とせずナビゲーションモードで必要とする回路ユニットへの電力供給及びクロック信号の出力を制御する制御部とを備えたことを特徴とするナビゲーション装置。
【請求項５】
ＴＶ電波を受信してＴＶ画像データを出力するＴＶ受信部と、前記ＴＶ受信部において受信したＴＶ電波の受信レベルを検出する受信レベル検出部と、自位置の測位を行う測位部と、地図データが記憶された記憶媒体から地図データを読み出す地図データ制御部と、ＴＶ画像データや地図データなどを表示する表示手段と、前記ＴＶ受信部から出力されるＴＶ画像データを前記表示部に表示するＴＶ受信モードと前記測位部から出力された自位置及び前記地図データ制御部から出力された地図データを前記表示部に表示するナビゲーションモードとを選択する選択部と、ＴＶ受信モードの際に、前記受信レベル検出部において検出した受信レベルに応じて、前記測位部、前記地図データ制御部への電力供給及びクロック信号の出力を制御する制御部とを備えたことを特徴とするナビゲーション装置。
【請求項６】
前記制御部は、前記受信レベルが所定のレベル以下のとき、少な
くとも前記測位部よりも先に前記地図データ制御部への電力供給及びクロック信号の出力をＯＦＦにすることを特徴とする請求項５記載のナビゲーション装置。
【請求項７】
前記受信レベルは、ＴＶ電波の電界強度であることを特徴とする
請求項１、２、４、５のうち、いずれか１に記載のナビゲーション装置。
【発明の詳細な説明】
【０００１】
【発明の属する技術分野】
本発明は、ＴＶ電波を受信してＴＶ画像データを表示するＴＶ受信モードと、測位した自位置を地図データ上に表示するナビゲーションモードとを切換自在なナビゲーション装置に関するものである。
【０００２】
【従来の技術】
以下、従来のナビゲーション装置について説明する。
【０００３】
図３は従来のナビゲーション装置の構成を示すブロック図である。図３において、１はＴＶ電波を受信してＴＶ画像データを表示するＴＶ受信モードと測位した自位置を地図データ上に表示するナビゲーションモードとを選択する選択部であり、使用者がＴＶスイッチ１ａ、ナビスイッチ１ｂを操作する。２はＴＶ電波を受信してＴＶ画像データを出力するＴＶ受信部である。３は自位置を測位する測位部であり、複数のＧＰＳ（Ｇｒｏｂａｌ  Ｐｏｓｉｔｉｏｎｉｎｇ  Ｓｙｓｔｅｍ）衛星からの電波を同時に受信して測位を行うＧＰＳ受信機を例として示している。４は地図データが記憶された記憶媒体から所定の領域の地図データを読み出す地図データ制御部である。５はＴＶ画像データや地図データなどの各種データを表示する表示部である。６は装置内の各部に電力を供給する電源部、７は装置内の各部から出力される信号を制御する制御部である。
【０００４】
以上のように構成された従来のナビゲーション装置について、以下にその動作について説明する。
【０００５】
図３に示すように、まず、選択部１において使用者によりナビスイッチ１ｂが選択されると、制御部７はナビゲーションモードを設定し、地図データ制御部４から得られる地図データと、測位部３から得られる位置データとをデータ処理し、得られた自位置、地図データを表示部５に表示する。また、使用者が選択部１においてＴＶスイッチ１ａを選択すると、制御部７はＴＶ受信モードを設定し、ＴＶ受信部２から出力されるＴＶ画像データを表示部５に表示する。
【０００６】
【発明が解決しようとする課題】
このようなナビゲーション装置では、ＴＶ受信部２におけるＴＶチューナ等に対して、装置内部の測位部３や地図データ制御部４の各回路ブロックからノイズ妨害が発生しており、特にＴＶ電波の受信状況が悪い（弱電界）状態では、前述のノイズの影響が大きく、ＴＶ画像データが表示された表示部５の表示画面が非常に見づらい状態になっていた。この対策として従来では装置内部において各回路ユニットごとに電磁シールドを施すことでＴＶ受信部２へのノイズによる妨害を防いでいた。しかしながらこのような対策では、装置内部に十分なスペースを必要とするために装置の小型化の妨げとなるといった問題点を有していた。
【０００７】
本発明は、回路ユニットから発生するノイズがＴＶ画像データに及ぼす影響を抑え、良好なＴＶ画像データを得ることのできるナビゲーション装置を提供することを目的とする。
【０００８】
【課題を解決するための手段】
この課題を解決するために本発明は、ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、受信レベル検出部において検出した受信レベルに応じて、ＴＶ受信モードでは必要とせずナビゲーションモードで必要とする回路ユニットへの電力供給を制御する制御部とを備えた構成とした。
【０００９】
これにより、装置内部の回路ユニットから発生するノイズがＴＶ画像データに及ぼす影響を抑え、良好なＴＶ画像データを得ることができる。
【００１０】
【発明の実施の形態】
本発明の請求項１に記載の発明は、ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、受信レベル検出部において検出した受信レベルに応じて、ＴＶ受信モードでは必要とせずナビゲーションモードで必要とする回路ユニットへの電力供給を制御する制御部とを備えた構成としたことにより、ＴＶ電波の受信レベルに応じてＴＶ受信モードでは必要とせずナビゲーションモードで必要とする回路ユニットへの電力供給を制御することで、装置内部で発生するノイズがＴＶ画像データに及ぼす影響を抑制することができる。
【００１１】
本発明の請求項２に記載の発明は、ＴＶ電波を受信してＴＶ画像データを出力するＴＶ受信部と、ＴＶ受信部において受信したＴＶ電波の受信レベルを検出する受信レベル検出部と、自位置の測位を行う測位部と、地図データが記憶された記憶媒体から地図データを読み出す地図データ制御部と、ＴＶ画像データや地図データなどを表示する表示手段と、ＴＶ受信部から出力されるＴＶ画像データを表示部に表示するＴＶ受信モードと前記測位部から出力された自位置及び地図データ制御部から出力された地図データを表示部に表示するナビゲーションモードとを選択する選択部と、ＴＶ受信モードの際に、受信レベル検出部において検出した受信レベルに応じて、測位部、地図データ制御部への電力供給を制御する制御部とを備えた構成としたことにより、ＴＶ電波の受信レベルに応じてＴＶ受信モードでは必要とせずナビゲーションモードで必要とする回路ユニットへの電力供給を制御することで、装置内部で発生するノイズがＴＶ画像データに及ぼす影響を抑制することができる。
【００１３】
本発明の請求項３に記載の発明は、本発明の請求項２に記載の発明において、制御部は、受信レベルが所定のレベル以下のとき、少なくとも測位部よりも先に地図データ制御部への電力供給をＯＦＦにする構成としたことにより、ＴＶ受信モードからナビゲーションモードに切り換わった際に、ナビゲーションモードの立ち上がり動作に要する時間を少なくすることができる。
【００１４】
本発明の請求項４に記載の発明は、ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、受信レベル検出部において検出した受信レベルに応じて、ＴＶ受信モードでは必要とせずナビゲーションモードで必要とする回路ユニットへの電力供給及びクロック信号の出力を制御する制御部とを備えた構成としたことにより、ＴＶ電波の受信レベルに応じてＴＶ受信モードでは必要とせずナビゲーションモードで必要とする回路ユニットへの電力供給及びクロック信号の出力を制御することで、装置内部で発生するノイズがＴＶ画像データに及ぼす影響を抑制することができる。
【００１５】
本発明の請求項５に記載の発明は、ＴＶ電波を受信してＴＶ画像データを出力するＴＶ受信部と、ＴＶ受信部において受信したＴＶ電波の受信レベルを検出する受信レベル検出部と、自位置の測位を行う測位部と、地図データが記憶された記憶媒体から地図データを読み出す地図データ制御部と、ＴＶ画像データや地図データなどを表示する表示手段と、ＴＶ受信部から出力されるＴＶ画像データを表示部に表示するＴＶ受信モードと測位部から出力された自位置及び前記地図データ制御部から出力された地図データを表示部に表示するナビゲーションモードとを選択する選択部と、ＴＶ受信モードの際に、受信レベル検出部において検出した受信レベルに応じて、測位部、地図データ制御部への電力供給及びクロック信号の出力を制御する制御部とを備えた構成としたことにより、ＴＶ電波の受信レベルに応じてＴＶ受信モードでは必要とせずナビゲーションモードで必要とする回路ユニットへの電力供給及びクロック信号の出力を制御することで、装置内部で発生するノイズがＴＶ画像データに及ぼす影響を抑制することができる。
【００１７】
本発明の請求項６記載の発明は、制御部は、受信レベルが所定のレベル以下のとき、少なくとも測位部よりも先に地図データ制御部への電力供給及びクロック信号の出力をＯＦＦにする構成としたことにより、ＴＶ受信モードからナビゲーションモードに切り換わった際に、ナビゲーションモードの立ち上がり動作に要する時間を少なくすることができる。
【００１８】
【実施例】
以下、本発明の実施例について、図面を参照しながら説明する。
【００１９】
（実施例１）
図１は本発明の第１の実施例におけるナビゲーション装置の構成を示すブロック図である。図１において、１１はＴＶ電波を受信してＴＶ画像データを表示するＴＶ受信モードと測位した自位置を地図データ上に表示するナビゲーションモードとを選択する選択部であり、使用者がＴＶスイッチ１１ａ、ナビスイッチ１１ｂを操作する。１２はＴＶ電波を受信してＴＶ画像データを出力するＴＶ受信部である。１３はＴＶ受信部１２において受信したＴＶ電波の受信レベルを検出する受信レベル検出部である。１４は自位置を測位する測位部であり、複数のＧＰＳ衛星からの電波を同時に受信して自位置を測位するＧＰＳ受信機を例として示しているが、これに限定されるものではなく、自立航法と呼ばれる測位方法やその他の測位方法であっても良い。１５はディジタル地図データが記憶されているＣＤ−ＲＯＭ（Ｃｏｍｐａｃｔ  Ｄｉｓｋ  −  Ｒｅａｄ  Ｏｎｌｙ  Ｍｅｍｏｒｙ）などの記憶媒体から所定の領域の地図データを読み出す地図データ制御部である。１６はＴＶ画像データや地図データなどの各種データを表示する表示部であり、ＬＣＤ（ｌｉｑｕｉｄ  Ｃｒｙｓｔａｌ  Ｄｉｓｐｌａｙ）などの表示画面を備えている。１７は装置内の各部に電力を供給する電源部、１８は装置内の各部から出力される信号を制御する制御部である。
【００２０】
本実施例が従来と異なるのは、ナビゲーションモードからＴＶ受信モードに切り換えられた際に、ＴＶ電波の受信レベルに応じてＴＶ受信モードにおいては必要としない回路ユニットに対しての電力供給をＯＮ−ＯＦＦ制御する点である。
【００２１】
以上のように構成されたナビゲーション装置について、以下にその動作を説明する。
【００２２】
図１に示すように、選択部１１において使用者によりナビスイッチ１１ｂが選択されると、制御部１８はナビゲーションモードを設定する。ナビゲーションモードでは、制御部１８は、測位部１４から位置データを得ると、この位置データを基づいて地図データ制御部１５から所定の領域の地図データを得て、表示部１６に表示する。
【００２３】
一方、選択部１１において使用者によりＴＶスイッチ１１ａが選択されると、制御部１８はＴＶ受信モードを設定し、ＴＶ電波を受信するＴＶ受信部１２から出力されるＴＶ画像データを表示部１６に表示する。このとき、受信レベル検出部１３において検出されるＴＶ電波の受信レベル（本実施例では電界強度）に応じて、制御部１８は電源部１７から各部ブロックへの電力供給を制御を行う。この制御の様子について、以下に説明する。
【００２４】
まず、制御部１８により、受信レベル検出部１３において検出したＴＶ電波のレベルが十分なレベル（強電界）であると判断された場合、制御部１８は、ＴＶ受信モードにおいて回路動作が特に保持される必要が無い測位部１４や地図データ制御部１５への電力供給（電力Ｂ、電力Ｃ）をＯＮ状態に保持し、ＴＶ受信モードにおいてもＧＰＳ測位と地図データの読み出しを継続させる。これにより、選択部１１においてナビスイッチ１１ｂが選択された時に、モード変更時の立ち上がりに時間を要することなく、即座にナビゲーションモードを実行することができる。
【００２５】
また、制御部１８により、受信レベル検出部１３で検出したＴＶ電波のレベルが弱いレベル（弱電界）であると判断された場合、制御部１８はＴＶ受信モードにおいて特に回路動作が保持される必要のない測位部１４、地図データ制御部１５への電力供給（電力Ｂ、電力Ｃ）をＯＦＦにし、測位部１４、地図データ制御部１５から発生するノイズを防ぐ。
【００２６】
また、制御部１８により、受信レベル検出部１３で検出したＴＶ電波のレベルが中程度のレベル（中電界）であると判断された場合、制御部１８は、ＴＶ受信モードにおいて特に回路動作が保持される必要のない地図データ制御部１５の電力供給（電力Ｃ）をＯＦＦにし、測位部１４への電力供給（電力Ｂ）はＯＮに保持させる。これは、特に測位部１４がＧＰＳ受信機の場合、地図データ制御部１５の立ち上がりに要する時間よりも、電力の供給が開始されてＧＰＳ衛星を捕捉するまでの測位部１４の立ち上がりに要する時間の方が長いためである。これにより、選択部１１においてナビスイッチ１１ｂが選択された時に、モード変更時の立ち上がりに時間を短くし、即座にナビゲーションモードを実行することができる。
【００２７】
なお、本実施例では受信したＴＶ電波の電界強度を３段階に分け、制御部１８により電力供給を制御するようにしているが、特に３段階に限定されるものではない。
【００２８】
以上のように本実施例では、ＴＶ受信モードにおいて、受信レベル検出部１３によって検出されたＴＶ電波の受信レベルに応じて、ＴＶ受信モードでは特に必要とせずナビゲーションモードにおいてのみ必要とする測位部１４や地図データ制御部１５などの回路ユニットへの電力供給を制御部１８によってＯＮ−ＯＦＦ制御することにより、ＴＶ電波の受信状態が悪いときには、測位部１４や地図データ制御部１５などへの電力供給をＯＦＦにしてノイズの影響を抑え、また、ＴＶ電波の受信状態が良いときは、測位部１４や地図データ制御部１５などへの電力供給は継続しておくことで、ナビゲーションモードに切り換わったときに、ナビゲーションモードの立ち上がりに要する時間を短くすることができる。
【００２９】
（実施例２）
図２は本発明の第２の実施例におけるナビゲーション装置の構成を示すブロック図である。図２において、１９は本実施例において、装置内の各部から出力される信号を制御する制御部である。なお、第１の実施例と同様の符号を付しているブロックは、第１の実施例で示した動作と同様の働きをするものとして説明を省略する。
【００３０】
本実施例が第１の実施例と異なるのは、制御部１９が測位部１４、地図データ制御部１９などの回路ユニットに対して電力供給を制御するだけでなく、クロック信号も制御するように構成した点である。
【００３１】
以上のように構成されたナビゲーション装置について、以下にその動作を説明する。ただし、ナビゲーションモードにおける動作については、第１の実施例と同様であり、説明を省略する。
【００３２】
図２に示すように、選択部１１において使用者によりＴＶスイッチ１１ａが選択された場合、制御部１９はＴＶ受信モードを設定し、ＴＶ電波を受信するＴＶ受信部１２から出力されるＴＶ画像データを表示部１６に表示する。このとき、受信レベル検出部１３において検出されるＴＶ電波の受信レベル（本実施例では電界強度）に応じて、制御部１８は、電源部１７から各部ブロックに対する電力供給の制御、さらに各回路ブロックに対するクロック信号の制御を行う。この制御の様子について、以下に説明する。
【００３３】
まず、受信レベル検出部１３によって検出したＴＶ電波のレベルが十分なレベル（強電界）であると制御部１９が判断したの場合、制御部１８は、ＴＶ受信モードにおいて回路動作が特に保持される必要が無い測位部１４や地図データ制御部１５に対しての電源部１７からの電力供給をＯＮ状態に保持し、ＧＰＳ測位と地図データの読み出し処理を継続して行う。これにより、選択部１１においてナビスイッチ１１ｂが選択されてナビゲーションモードに変更された場合であっても、即座にナビゲーションモードにおける処理を開始することができる。
【００３４】
また、受信レベル検出部１３によって検出されたＴＶ電波の受信レベルが弱いレベル（弱電界）であると制御部１９によって判断された場合、制御部１９は、ＴＶ受信モードにおいて回路動作が特に保持される必要のない測位部１４と地図データ制御部１５に対する電源部１７からの電力供給をＯＦＦにし、さらに測位部１４と地図データ制御部１５に対する制御部１９からの不用なクロック信号を止め、測位部１４、地図データ制御部１５に発生するノイズを抑える。
【００３５】
また、受信レベル検出部１３によって検出されたＴＶ電波の受信レベルが中程度のレベル（中電界）であると制御部１９により判断された場合、制御部１９は、ＴＶ受信モードにおいて回路動作が特に保持される必要のない地図データ制御部１５に対する電源部１７からの電力供給をＯＦＦにすると共に、制御部１９から地図データ制御部１５に対して発せられる不用なクロック信号を止め、測位部１４に対しては必要なクロック信号は止めず、電源部１７からの電力供給はＯＮにしたままで測位動作を続ける。これは、特に測位部１４がＧＰＳ受信機の場合、地図データ制御部１５の立ち上がりに要する時間よりも、電力の供給が開始されてＧＰＳ衛星を捕捉するまでの測位部１４の立ち上がりに要する時間の方が長いためである。これにより、選択部１１においてナビスイッチ１１ｂが選択された時に、モード変更時の立ち上がりに時間を短くし、即座にナビゲーションモードを実行することができる。
【００３６】
以上のように本実施例では、第１の実施例の構成に加えて、測位部１４、地図データ制御部１５に対するクロック信号についても出力制御を行うことで、第１の実施例よりもさらに、ＴＶ電波の受信レベルが悪いときのＴＶ電波に対するノイズの影響を抑えることができる。
【００３７】
【発明の効果】
以上のように本発明によれば、ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、受信レベル検出部において検出した受信レベルに応じて、ＴＶ受信モードでは必要とせずナビゲーションモードで必要とする回路ユニットへの電力供給を制御する制御部とを備えたものであり、ＴＶ電波の受信レベルに応じてＴＶ受信モードでは必要とせずナビゲーションモードで必要とする回路ユニットへの電力供給を制御することで、装置内部で発生するノイズがＴＶ画像データに及ぼす影響を抑制することができ、回路ユニットに対して電磁シールドなどの特別な処理を施さずに済むので、装置の小型化を図ることができるナビゲーション装置を実現できる。
【００３８】
また、ＴＶ電波を受信してＴＶ画像データを表示するＴＶ受信モードと測位した自位置を地図データ上に表示するナビゲーションモードとを切換可能なナビゲーション装置であって、ＴＶ電波の受信レベルを検出する受信レベル検出部と、ＴＶ受信モードの際に、受信レベル検出部において検出した受信レベルに応じて、ＴＶ受信モードでは必要とせずナビゲーションモードで必要とする回路ユニットへの電力供給及びクロック信号を制御する制御部とを備えたものであり、ＴＶ電波の受信レベルに応じてＴＶ受信モードでは必要とせずナビゲーションモードで必要とする回路ユニットへの電力供給及びクロック信号を制御することで、装置内部で発生するノイズがＴＶ画像データに及ぼす影響を抑制することができ、回路ユニットに対して電磁シールドなどの特別な処理を施さずに済むので、装置の小型化を図ることができるナビゲーション装置を実現できる。
【図面の簡単な説明】
【図１】本発明の第１の実施例におけるナビゲーション装置の構成を示すブロック図
【図２】本発明の第２の実施例におけるナビゲーション装置の構成を示すブロック図
【図３】従来のナビゲーション装置の構成を示すブロック図
【符号の説明】
１１  選択部
１２  ＴＶ受信部
１３  受信レベル検出部
１４  測位部
１５  地図データ制御部
１６  表示部
１８、１９  制御部
【図１】
0003579997.tif 000002
【図２】
0003579997.tif 000003
【図３】
0003579997.tif 000004